(57)【要約】【課題】連結部材を介して作業者に連結されたロープ部材の張力を高いレベルで維持し、作業者の落下を防止し、作業効率を向上させる転落防止装置を提供する。【解決手段】転落防止装置１は、貨物車の荷台１００の外縁に沿って立設される複数のスタンション１０と、２つのスタンション１０，１０間に張架されたロープ部材２０と、該ロープ部材２０に摺動可能に取り付けられ、作業者に連結された連結部材３０と、滑車部４０とを有する。滑車部４０は、ロープ部材２０の一方の端部２１及び他方の端部２２が貨物車に固定されるロープ部材２０を巻回する滑車４３を備え、スタンション１０の上端部１１に設けられる。【選択図】図１
2014039740.tif 000002
【特許請求の範囲】
【請求項１】
貨物車の荷台の外縁に沿って立設される複数のスタンションと、
２つの前記スタンション間に張架されたロープ部材と、
該ロープ部材に摺動可能に取り付けられ、作業者に連結された連結部材とを有し、
前記ロープ部材の一方の端部及び他方の端部が前記貨物車に固定される前記ロープ部材を巻回する滑車を備えた滑車部が前記スタンションの上端部に設けられたことを特徴とする転落防止装置。
【請求項２】
前記滑車部が、前記スタンションの上端部に着脱可能に設けられたことを特徴とする請求項１に記載の転落防止装置。
【請求項３】
前記複数のスタンションは、貨物車の荷台の外縁に沿って形成された複数の孔部にそれぞれ嵌合して立設されることを特徴とする請求項１に記載の転落防止装置。
【発明の詳細な説明】
【技術分野】
【０００１】
本発明は、トラック等の貨物車の荷台に設けられる転落防止装置に関する。
【背景技術】
【０００２】
従来より、トレーラーやトラック等の貨物車の荷台には、作業者が転落しないように転落防止装置が設置されることがある（例えば、特許文献１参照）。
この特許文献１に開示された転落防止装置（貨物自動車の荷台作業用安全装置）は、具体的に、貨物自動車の荷台に対して着脱自在に立設される２つ以上の長尺部材と、当該２つの長尺部材の一端に接続されると共に、長尺部材間に連架されるロープ部材（親綱）と、連結部材とからなる。連結部材は、一端が当該親綱に対してスライド可能であると共に、他端側に作業者に連結されている。
【先行技術文献】
【特許文献】
【０００３】
【特許文献１】特開２０１２−８１１０３号公報
【発明の概要】
【発明が解決しようとする課題】
【０００４】
しかしながら、特許文献１に記載の転落防止装置においては、長尺部材間に連架されるロープ部材が、長尺部材の上端部に設けられた円環状の取付部に取り付けられているため、ロープ部材がキンクし易く、結果として張力が保てないことがあった。これは、連結部材を介してロープ部材に連結された作業者が荷台から落下しそうな場合に、当該作業者を支えきれず、落下させてしまう可能性があり、検討の余地があった。
本発明は上述の問題点に鑑みてなされたものであり、その目的は、連結部材を介して作業者に連結されたロープ部材の張力を高いレベルで維持し、作業者の落下を防止し、作業効率を向上させる転落防止装置を提供することにある。
【課題を解決するための手段】
【０００５】
上記問題を解決するため、本発明のある実施形態に係る転落防止装置は、貨物車の荷台の外縁に沿って立設される複数のスタンションと、
２つの上記スタンション間に張架されたロープ部材と、
該ロープ部材に摺動可能に取り付けられ、作業者に連結された連結部材とを有し、
上記ロープ部材の一方の端部及び他方の端部が上記貨物車に固定される上記ロープ部材を巻回する滑車を備えた滑車部が上記スタンションの上端部に設けられる。
【０００６】
ここで、上記滑車部は、上記スタンションの上端部に着脱可能に設けられてもよい。このように、上記滑車部が、上記スタンションの上端部に着脱可能に設けられることにより、既存のスタンションに適用することができ、製造コストを低減するという効果を奏する。
また、上記複数のスタンションは、貨物車の荷台の外縁に沿って形成された複数の孔部にそれぞれ嵌合して立設されてもよい。このように構成されることにより、各スタンションが孔部に対して取り外し可能となり、汎用性が向上するという効果を奏する。
【発明の効果】
【０００７】
本発明のある実施形態に係る転落防止装置によれば、連結部材を介して作業者に連結されたロープ部材の張力を高いレベルで維持し、作業者の落下を防止し、作業効率を向上させる転落防止装置を提供することができる。
【図面の簡単な説明】
【０００８】
【図１】本発明に係る転落防止装置のある実施形態における構成を示す図であり、（ａ）は斜視図、（ｂ）は側面図、（ｃ）は正面図である。
【図２】本発明に係る転落防止装置のある実施形態における使用時の構成を示す斜視図である。
【発明を実施するための形態】
【０００９】
以下、本発明に係る転落防止装置のある実施形態について、図面を参照して説明する。
図１は、転落防止装置の本実施形態における構成を示す図であり、（ａ）は斜視図、（ｂ）は側面図、（ｃ）は正面図である。
図１（ａ）〜（ｃ）に示すように、転落防止装置１は、スタンション１０と、ロープ部材２０と、連結部材３０と、滑車部４０とを有する。
【００１０】
＜スタンション＞
スタンション１０は、貨物車の荷台１００の外縁に沿って複数立設される長尺形状をなす柱体である。これらスタンション１０は、貨物車の荷台１００の外縁に沿って形成された複数の孔部１０１にそれぞれ嵌合して立設されてもよい。このように構成されることによって、各スタンション１０が孔部１０１に対して取り外し可能となり、汎用性が向上するという効果を奏する。
【００１１】
＜ロープ部材＞
ロープ部材２０は、貨物車の荷台１００の長手方向に対向して設けられた１対のスタンション１０，１０間に張架される帯状体である。ロープ部材２０の材質は、その長手方向において可能な限り弾性が低い材質であることが好ましい。例えば、ロープ部材２０としては、いわゆるナイロンベルトが挙げられる。また、ロープ部材２０の端部２２には荷締め機２３が設けられる。この荷締め機２３は、ロープ部材２０の端部２２近傍に設けられて、ロープ部材２２の長さを調節する機能を有する。荷締め機２３としては、ラチェット式荷締め機が好ましい。
【００１２】
＜連結部材＞
連結部材３０は、１対のスタンション１０，１０間に張架されたロープ部材２０と、作業者の腰ベルトとを連結する部材であり、ロープ部材２０に対して摺動可能に取り付けられる。
【００１３】
＜滑車部＞
滑車部４０は、本体部４１と、滑車収容部４２と、滑車４３と、軸部４４とを有する。
本体部４１は、開口部４１ａ（図１（ｃ）参照）を有する有蓋無底の箱形状をなし、当該開口部４１ａに、スタンション１０の上端部１１を収容するようにしてスタンション１０の上端部１１に固定される。
滑車収容部４２は、図１（ｃ）に示すように、断面がＬ字形状をなして、本体部４１の側面４１ｂに設けられ、後述する滑車４３を回転可能に収容する。
【００１４】
滑車４３は、本体部４１の側面４１ｂと、この側面４１ｂに対向する滑車収容部４２の内面４２ａとを貫通して固定された軸部４４を支点として滑車収容部４２に回転可能に収容される。なお、図示はしないが、滑車４３と軸部４４との間には、軸受（ベアリング）が設けられることが好ましい。このような構成とすることにより、滑車４３をスムーズに回転させることができ、この滑車４３に巻回されるロープ部材２０のテンションをより高く保つことができる。
【００１５】
図２は、本実施形態の転落防止装置の使用時の構成を示す斜視図である。図２に示すように、上記構成をなす転落防止装置１は、貨物車の荷台１００の長手方向に対向して設けられた１対のスタンション１０，１０間にロープ部材２０が張架される。ここで、図２に示すように、ロープ部材２０は、貨物車の荷台１００の長手方向に対向して設けられた２対のスタンション１０，１０間にそれぞれ張架されることが好ましい。
【００１６】
以下、ロープ部材２０の張架について説明する。
ロープ部材２０は、貨物車の荷台１００の下部に設けられたフック１０２に一方の端部２１が固定される。一方の端部２１が固定されたロープ部材２０は、一のスタンション１０Ａ（１０）の上端部１１Ａ（１１）に設置された滑車部４０Ａ（４０）の滑車（図示せず）に巻回されると共に、荷台１００の長手方向に対向する他のスタンション１０Ｂ（１０）の上端部１１Ｂ（１１）に設置された滑車部４０Ｂ（４０）の滑車（図示せず）に巻回される。そして、ロープ部材２０は、他方の端部２２が貨物車の荷台１００の下部に設けられたフック１０２に荷締め機２３を介して固定される。滑車部４０Ａ及び滑車部４０Ｂのそれぞれの滑車を巻回させて一方の端部２１及び他方の端部２２がフック１０２に固定されたロープ部材２０は、荷締め機２３によって緊張させられる。
【００１７】
また、このように、貨物車の荷台１００の長手方向に対向して設けられた２対のスタンション１０，１０間にそれぞれ張架されたロープ部材２０，２０に対しては、作業者に連結された連結部材３０，３０が、荷台１００の長手方向に摺動可能に取り付けられる。
以上説明したように、本実施形態の転落防止装置１は、一方の端部２１及び他方の端部２２がフック１０２，１０２にそれぞれ固定されたロープ部材２０を、一対のスタンション１０，１０に取り付けるに際し、当該スタンション１０，１０にそれぞれ設けられた滑車部４０，４０の滑車４３，４３に巻回させている。その結果、ロープ部材２０の張力を高いレベルで維持することができるので、作業者の落下を防止し、作業効率を向上させる転落防止装置を提供することができる。
以上、本発明の実施形態について説明してきたが、本発明はこれに限定されずに、種々の変更、改良を行うことができる。
【符号の説明】
【００１８】
１  転落防止装置
１０  スタンション
１１  上端部
２０  ロープ部材
２１  一方の端部
２２  他方の端部
３０  連結部材
４０  滑車部
４３  滑車
１００  荷台
１０１  孔部
【図１】
2014039740.tif 000003
【図２】
2014039740.tif 000004